(57)【要約】【課題】本体に搭載する一対のＲＣＨとＬＣＨの単品特性が同じ値にも関わらず、ＲＣＨとＬＣＨとでは前記記載の単品特性と前記記載の本体での映像信号を記録再生して測定したＳ／Ｎとの相関が取り難かった。そして、従来の測定方法で単品特性を測定したＲＣＨとＬＣＨのヘッドを一対にして本体に搭載し、映像信号を記録再生した場合にはチャンネル間でのレベル差が生じ、画面でのちらつきが発生していた。【解決手段】本体に搭載する前に磁気ヘッドの単品特性を測定する場合、磁気ヘッドが測定に使用する測定用テープを走査する角度と測定用テープの磁性粒子の磁化配向方向とで成す角度が、磁気ヘッドを搭載する本体で磁気ヘッドがテープを走査する方向とテープの磁性粒子の磁化配向方向とで成す角度が同じ角度になるようにして磁気ヘッドの単品特性を測定する。【選択図】　図１
2004110879.tif 000002
【特許請求の範囲】
【請求項１】
磁気記録再生装置に搭載する前の状態で、磁気ヘッドの記録再生効率を測定する磁気ヘッドの記録再生効率測定方法であって、
前記磁気ヘッドが測定用磁気記録媒体を走査する方向と前記測定用磁気記録媒体の磁性粒子の磁化配向方向とで成す角度と、前記磁気ヘッドを搭載する磁気記録再生装置で磁気ヘッドが記録再生時に磁気記録媒体を走査する方向と磁気記録媒体の磁性粒子の磁化配向方向とで成す角度とを同一角度にし、前記磁気ヘッドを走査させ磁気ヘッドの記録再生効率を測定することを特徴とする磁気ヘッドの記録再生効率測定方法。
【請求項２】
磁気ヘッドの磁気記録再生装置に搭載する前の状態での記録再生効率を測定する磁気ヘッドの記録再生効率測定装置であって、
前記磁気ヘッドを搭載したドラムと、前記ドラムを配した基台と、前記基台の傾きを調整可能な調整手段とを備え、
前記調整手段は前記基台の傾きを調整することで、前記磁気ヘッドの下端面と、測定に使用する磁気記録媒体の幅方向の下端面とで成す角度を可変可能にしたことを特徴とする磁気ヘッドの記録再生効率測定装置。
【請求項３】
請求項１及び２に記載の磁気ヘッドの記録再生効率測定方法及び装置に用いる磁気記録媒体。
【発明の詳細な説明】
【０００１】
【発明の属する技術分野】
本発明は、磁気ヘッドのギャップ角度が異なる磁気ヘッドを一対以上使用する磁気記録再生装置に搭載する磁気ヘッドの記録再生効率を測定する方法と装置に関するものである。
【０００２】
【従来の技術】
図８は現在、普及しているヘリカリスキャン方式の磁気記録再生装置の回転ドラム（以下シリンダーと記す）と磁気記録媒体（以下テープと記す）との接触状態を示す平面図である。図８で２９はシリンダー、３０および３１は磁気ヘッド、３２はテープ、３３及び３４はテープ３２の走行位置を規制するためのガイドポスト、３５はシリンダー２９の回転方向を示す。
【０００３】
図９は図８をシリンダー２９の側面から見た模式図である。図９で３６は磁気ヘッド３０、３１がテープ３２を走査する方向を示す。
【０００４】
図１０は磁気ヘッド３０及び３１の概略図である。磁気ヘッドは、磁気ヘッドをシリンダーに取り付けるためのヘッドベース３８にコアチップ３９を接着剤にて接着している。コアチップ３９は、コア半体Ａの４０とコア半体Ｂの４１が非磁性体で構成されるギャップ４２をはさんで、ボンデイングガラス４３で接合されている。
【０００５】
図１１は磁気ヘッド３０のテープ３２との摺動面を示した拡大図、図１２は磁気ヘッド３１のテープ３２との摺動面を示した拡大図である。シリンダー２９に搭載される一対の磁気ヘッド３０及び３１は、それぞれのギャップ４２がコアチップ３９を接着するヘッドベース３８の基準面４４に垂直な線４５に対してプラス方向の角度４６とマイナス方向の角度４７を成すように構成されている。以下、この角度の事を磁気ヘッドのギャップのアジムス角と記し、アジムス角がプラス方向の磁気ヘッド３０をＲチャンネルヘッドと称し、ＲＣＨヘッドと記する。また前記アジムス角がマイナス方向の磁気ヘッド３１をＬチャンネルヘッドと称し、ＬＣＨヘッドと記する。前記記載の磁気ヘッドはシリンダーに搭載する場合、事前に磁気ヘッド単品状態での記録再生効率（以下、単品特性と記す）を測定して本体性能を満足する記録再生効率の磁気ヘッドのみを選別した後、ＲＣＨとＬＣＨの記録再生効率差が一定の差の範囲内にある磁気ヘッド同士を一対にして搭載している。
【０００６】
図１３は前記磁気ヘッドの単品特性を測定している模式図である。ここで、「単品特性」とは、磁気ヘッドを回転シリンダなどに搭載した製品状態ではなく、後述する固定用支持台５３などの固定手段に固定して測定した信号特性のことである。
【０００７】
図１３において、４８は記録再生効率測定用テープを装着するための回転ドラム（以下ドラムと記す）、４９はドラム４８の駆動部、５０はドラム４８の側面に巻回された記録再生効率測定用テープ（以下測定用テープと記す）であり、例えばエンドレステープからなる。５１は測定用テープ５０の下端、５２は被測定磁気ヘッド、５３は被測定磁気ヘッド固定用支持台、５４は記録再生回路で被測定ヘッド５２と記録再生回路５４とはリード線５５で電気的に接続されている。測定用テープ５０は、ドラム４８の回転中心となる軸に対して平行に巻回され、ドラム４８を矢印４８ａ方向へ回転させ、被測定磁気ヘッド５２で測定用テープ５０に信号を記録する。この時、測定用テープ５０に記録される信号パターンは図１４及び図１５のようになる。
【０００８】
図１４は、図１３に示す単品特性を測定する装置（以下、単品評価装置と記す）を用いて、ＲＣＨヘッドで信号を記録した測定用テープ５０に、磁性粒子のコロイド液を付けて磁化状態を顕微鏡にて観察した場合の磁化パターンを示す。図１５は、図１４と同様にＬＣＨヘッドで信号を記録した測定用テープ５０に、磁性粒子のコロイド液を付けて磁化状態を顕微鏡にて観察した場合の磁化パターンを示す模式図である。単品測定では、測定用テープ５０が被測定磁気ヘッド５２に対して平行に回転するため、測定用テープ５０に記録される信号は、図示のように測定用テープ５０の下端５１に対して平行な信号パターンとなる。
【０００９】
図１４及び図１５において、５６はＲＣＨヘッドにて記録された信号パターンのラインで、その角度はＲＣＨヘッドのアジマス角度となる。５７はＬＣＨヘッドにて記録された信号パターンのラインで、その角度はＬＣＨヘッドのアジマス角度となる。５８は測定用テープ５０の磁化配向方向、５９は磁化配向方向５８と信号パターン５６のライン５６とで成す角度、６０は磁化配向方向５８とライン５７とで成す角度である。ＲＣＨヘッドとＬＣＨヘッドのアジマス角度は、方向が逆であるが絶対角度は同じであるため、角度５９と６０とは同じ角度となる。さらに、このような単品評価装置で測定した磁気ヘッドの再生特性は、ＲＣＨヘッドとＬＣＨヘッドともほぼ同じになる。
【００１０】
図１６は前記記載の単品評価装置での記録再生効率がほぼ同じであったＲＣＨヘッドとＬＣＨヘッドとを、磁気記録再生装置のシリンダーに搭載して映像信号を記録したテープに、磁性粒子のコロイド液を付けて磁化状態を顕微鏡にて観察した場合の磁化パターンを示す模式図である。なお、磁気ヘッドを搭載した磁気記録再生装置を以下本体と記す。
【００１１】
図１６において、６１はＲＣＨヘッドで記録した信号パターンのライン、６２はＬＣＨヘッドで記録した信号パターンのラインで、ライン６１と６２の角度はそれぞれＲＣＨヘッド及びＬＣＨヘッドのアジマス角度となり、それぞれ方向が逆であるが絶対角度は同じになる。図示のように、ＲＣＨヘッドで記録されるトラックとＬＣＨヘッドで記録されるトラックは、テープの長手方向に傾斜して交互に記録される。６３及び６４は磁化配向方向５８とライン６１及びライン６２とで成す角度で、信号パターンが傾斜して記録されるため、角度６３が角度６４よりも大きくなる。３６は磁気ヘッドがテープを走査する方向、６５は走査方向３６と磁化配向方向５８とで成す角度である。
【００１２】
図１７は前記記載の単品評価装置での記録再生効率がほぼ同じであったＲＣＨヘッドとＬＣＨヘッドを、本体のシリンダーに搭載して映像信号を記録再生した時の信号波形（以下エンベロープと記す）を示す模式図であり、図１６のように記録された信号を再生した時のエンベロープを示す。６６はＲＣＨヘッドで再生したエンベロープ、６７はＬＣＨヘッドで再生したエンベロープである。
【００１３】
図１８は前記記載の本体に磁気ヘッドを搭載した状態で、映像信号を記録再生した場合のＳ／Ｎの相対値と前記記載の単品評価装置での記録再生効率を測定したレベルとの関係を示す。図１８において、横軸は前記記載の単品評価装置で測定した記録再生効率の相対値を示し、０（％）は従来の測定方法及び装置での単品規格値下限を示す。縦軸は前記記載の本体に搭載した状態で、映像信号を記録し再生した場合のＳ／Ｎの相対値を示し、０（ｄＢ）は本体性能における規格値下限を示す。
【００１４】
【特許文献１】
特開平６−４８３９号公報
【００１５】
【発明が解決しようとする課題】
以上のような単品評価装置で記録再生した場合と、この単品特性を測定して記録再生効率がほぼ同じＲＣＨヘッドとＬＣＨヘッドを、本体のシリンダーに搭載して記録再生した場合について説明する。
【００１６】
まず、単品特性を測定する場合であるが、図１３でドラム４８は被測定ヘッド５２の基準面４４に対して平行になった状態で回転するようになっている事から、図１４、図１５に示すように被測定ヘッド５２で記録された磁化パターンは測定テープの端面５１に平行になる。そして、ギャップのアジムス角の絶対値が同じＲＣＨ、ＬＣＨヘッドそれぞれで記録された磁化パターンのライン５６、５７と測定用テープの磁性粒子の磁化配向方向５８とで成す角度５９、６０は、傾きの方向は逆になるが角度の絶対値は同じになる。
【００１７】
そして、図１４及び１５のように記録された信号をそれぞれＲＣＨヘッド及びＬＣＨヘッドで再生し、エンベロープを確認して、ＲＣＨヘッドの出力とＬＣＨヘッドの出力とが同じになるよう、再生回路（図示せず）でレベル調整をする。
【００１８】
次に、前記記載のＲＣＨヘッドとＬＣＨヘッドを、本体に傾斜して配されたシリンダー２９に搭載して映像信号を記録した場合は、磁気ヘッド３０、３１がテープの端面５１に対し斜めに走査することから、図１６に示すようにギャップのアジムス角の絶対値が同じで、その傾きの方向が逆な場合は、それぞれで記録された磁化パターンのライン６１、６２とテープの磁性粒子の磁化配向方向５８とで成す角度６３、６４の絶対値が異なってくる。そしてこの事により、前記本体の再生回路（図示せず）で再生したエンベロープは図１７に示すように、ＲＣＨのエンベロープ６６とＬＣＨのエンベロープ６７とでレベル差が発生し、再生した映像信号をテレビジョン受像器などで映出した際、ちらつきが発生し画質が低下してしまうという問題点を有していた。
【００１９】
また、図１８は単品特性の規格を決定する場合に用いているグラフで、横軸に本体に搭載する前に測定した単品特性、縦軸に本体に搭載して映像信号を記録再生して測定したＳ／Ｎを示したグラフであるが、図１８に示すようにＲＣＨヘッドとＬＣＨヘッドの単品特性の値が同じ値にも関わらず、ＲＣＨとＬＣＨとではその相関が異なりチャンネル間差６８が発生しており、単品特性と本体に搭載して映像信号を記録再生して測定したＳ／Ｎとの相関が取り難く、単品特性の規格を決め難いという問題点を有していた。
【００２０】
例えば、図１８において、ヘッド単品状態での記録再生効率が０％の時、本体特性はＲＣＨヘッドが約０．８ｄＢ、ＬＣＨヘッドが約０．２ｄＢとなる。このように単品特性と本体特性との間で相関が取れていないことになる。
【００２１】
本発明は上記従来の問題点を解決するもので、新しい評価方法により単品特性と本体に搭載して映像信号を記録再生して測定したＳ／Ｎとの相関において、より高精度な相関が得られる単品特性を測定する方法と装置を提供すると共に、ＲＣＨとＬＣＨのエンベロープでのレベル差を少なくして画面でのちらつきを発生させない事を目的とする。
【００２２】
【課題を解決するための手段】
上記課題を解決するために、磁気記録再生装置に搭載する前の状態で、磁気ヘッドの記録再生効率を測定する磁気ヘッドの記録再生効率測定方法であって、前記磁気ヘッドが測定用磁気記録媒体を走査する方向と前記測定用磁気記録媒体の磁性粒子の磁化配向方向とで成す角度と、前記磁気ヘッドを搭載する磁気記録再生装置で磁気ヘッドが記録再生時に磁気記録媒体を走査する方向と磁気記録媒体の磁性粒子の磁化配向方向とで成す角度とを同一角度にし、前記磁気ヘッドを走査させ磁気ヘッドの記録再生効率を測定する。
【００２３】
この方法によって前記記載の本体に搭載する前に測定した単品特性と前記記載の本体に搭載した状態で記録再生したＳ／Ｎとの関係でチャンネル間差が無くなり高い相関が得られる。
【００２４】
【発明の実施の形態】
以下に本発明の実施の形態を説明する。請求項１に記載の発明は、磁気記録再生装置に搭載する前の状態で、磁気ヘッドの記録再生効率を測定する磁気ヘッドの記録再生効率測定方法であって、前記磁気ヘッドが測定用磁気記録媒体を走査する方向と前記測定用磁気記録媒体の磁性粒子の磁化配向方向とで成す角度と、前記磁気ヘッドを搭載する磁気記録再生装置で磁気ヘッドが記録再生時に磁気記録媒体を走査する方向と磁気記録媒体の磁性粒子の磁化配向方向とで成す角度とを同一角度にし、前記磁気ヘッドを走査させ磁気ヘッドの記録再生効率を測定するものであり、単品特性と磁気ヘッドを搭載する本体で映像信号を記録して測定するＳ／Ｎとの相関が十分得られるという作用を有する。
【００２５】
請求項２に記載の発明は、磁気ヘッドの磁気記録再生装置に搭載する前の状態での記録再生効率を測定する磁気ヘッドの記録再生効率測定装置であって、前記磁気ヘッドを搭載したドラムと、前記ドラムを配した基台と、前記基台の傾きを調整可能な調整手段とを備え、前記調整手段は前記基台の傾きを調整することで、前記磁気ヘッドの下端面と、測定に使用する磁気記録媒体の幅方向の下端面とで成す角度を可変可能にしたものであり、単品特性と磁気ヘッドを搭載する本体で映像信号を記録して測定するＳ／Ｎとの相関が十分得られるという作用を有する。
【００２６】
請求項３に記載の発明は、請求項１及び２に記載の磁気ヘッドの記録再生効率測定方法及び装置に用いる磁気記録媒体であって、単品特性と磁気ヘッドを搭載する本体で映像信号を記録して測定するＳ／Ｎとの相関が十分得られるという作用を有する。
【００２７】
以下、本発明の実施の形態について説明する。
【００２８】
（実施の形態１）
図１は本発明の実施の形態におけるヘッドの単品状態での記録再生効率と本体に搭載した状態でのＳ／Ｎ（相対値）との関係を示すグラフ、図２は単品評価装置でＲＣＨヘッドによる記録パターンを示す模式図、図３は同様にＬＣＨヘッドによる記録パターンを示す模式図、図４は単品特性を測定する際の測定用テープの模式図で、本図の測定用テープはその上下幅が規定のテープ幅に既に加工されているものでもよいし、加工前の大型フィルム（テープの基礎となるもの）であってもよい。図５は本実施の形態における単品評価装置を示す斜視図、図６は本実施の形態の単品評価装置における測定用テープとヘッドとの関係を示す模式図、図７は、ヘッド単品状態での記録再生効率と本体搭載状態でのＳ／Ｎ（相対値）との相関を表すグラフである。
【００２９】
図２〜４において、５０は従来技術における単品特性の測定に使用した測定用テープで、その上下幅をテープ幅と同じになるように加工したものでもよいし、加工前の大型フィルム（テープの基礎となるもの）であってもよい。５１は測定用テープ５０の端部、３は測定用テープ５０における磁化配向方向で、端部５１と平行になっている。１は測定用テープ５０において切断線９で切断して成る測定用テープ、１０は測定用テープ１を切断線９で切断する際の端部５１と切断線９ａとで成す切断角度、５００及び７００はＲＣＨヘッド及びＬＣＨヘッドによって測定用テープ１に記録された記録パターン、５及び７はＲＣＨヘッド及びＬＣＨヘッドで測定用テープ１に記録された記録パターン５００及び７００のラインで、その角度はそれぞれのアジマス角度に相当し、互いに逆方向であるが絶対角度は同じである。２は測定用テープ１における磁化配向方向で、測定用テープ１は図４において切断角度１０に基づいて切断されたものであるため、磁化配向方向２は測定用テープ１の端部と平行にはならない。３は測定用テープ１に対するヘッドの走査方向で、単品特性の評価の際は図２及び図３に示す記録パターン５００及び７００と平行になる。４は磁化配向方向２と走査方向３とで成す角度、６は磁化配向方向２とライン５とで成す角度、８は磁化配向方向２とライン７とで成す角度で、角度６が角度８よりも大きくなる。
【００３０】
図５及び６において、１３は図４において切断した測定用テープ１で構成されるテープで、図４（ｂ）に示すように測定用テープ１を複数個接合して構成してもよいし、図４に示す切断の段階で、測定用テープ５０として大型のものを用意し、接合せずに十分な長さが得られるものであれば接合の必要はない。１４及び１５はそれぞれ同軸で上下位置に固定された固定ドラム、１７は固定ドラム１４及び１５の間に回転自在に配された回転ドラムで、固定ドラムと同軸に配されており、その外周面に被測定ヘッドである磁気ヘッド１６が固定されている。固定ドラム１４及び１５と回転ドラム１７とで、ドラムと称する。１８はドラムを支持した支持台、１９は支持台１８においてドラムとを配した面である取り付け面、２０及び２１は支持台２０の下面に設けられ支持台２０の傾きを調整可能な調整機構、２３ａはドラムの中心軸、２３ｂは垂直線、２２は中心軸２３ａと垂直線２３ｂとで成す角度で、調整機構２０及び２１で角度２２を調整することができる。２４及び２５はテープ１３の両端を固定するテープ固定用ポストで、テープ固定用ポスト２４と２５の間にドラムを配置する。２６は磁気ヘッド１６の下端面である基準面、２７はテープ１３の下端、２８は基準面２６と下端２７とで成す角度である。
【００３１】
以上のように構成された本実施の形態について、以下その動作について説明する。
【００３２】
前述の従来技術の課題を解決するために、単品特性を測定する条件を、本体に搭載した時の特性を測定する条件に合わせる必要がある。そのために、従来使用していた単品評価装置において磁気ヘッド走査方向と測定用テープの磁性粒子の磁化配向方向とで成す角度が、本体搭載時の磁気ヘッド走査方向と磁化配向方向とで成す角度とが、同じになるようにすればよい。それを構成するための一つの手段として、図１３に示す従来の測定方式で使用している測定用テープ５０の代わりに、図４に示す本実施の形態の測定方式に使用する測定用テープ９を使用する。
【００３３】
まず、図４（ａ）において、測定用テープ５０から、端部５１または磁化配向方向３に対して所定の切断角度１０だけ傾いた略四角形の部位を切り出す。図示では切断線９で切断することで、測定用テープ１を得ることができる。得られた測定用テープ１の磁化配向方向は、図２及び図３の磁化配向方向２に示すように傾斜した状態となる。
【００３４】
ここで、切り出した測定用テープ１が単品測定に十分な長さを有するものであれば、そのままの状態で測定に使用することができるが、長さが短ければ、図４（ｂ）に示すように複数の測定用テープ１をつなぎ合わせ、測定可能な長さにして使用することもできる。なお、測定可能な長さとは、図１３に示す単品測定におけるドラム４８の側面を少なくとも１周できる長さ、つまりドラム４８の円周長のことである。
【００３５】
得られた測定用テープ１は、図２及び図３（単品測定状態）に示す磁化配向方向２と磁気ヘッドの走査方向３とで成す角度４と、図１６（本体に搭載した状態）における磁化配向方向５８と磁気ヘッド走査方向３６とで成す角度６５とが、同じになる。つまり、単品測定状態における磁気ヘッド走査方向及び磁化配向方向と、本体搭載測定状態における磁気ヘッドの走査方向及び磁化配向方向とが同じになり、従って測定条件が同じになる。
【００３６】
そして、図２及び図３に示す測定用テープ１を図１３に示す測定方法で測定を行う。具体的には、測定用テープ１を回転ドラム４８に巻回し、駆動部４９を制御して回転ドラム４８を矢印４８ａ方向へ高速回転させる。次に、支持台５３に固定した磁気ヘッド５２を、回転する測定用テープ１に接触させ、測定用テープ１に映像信号の記録を行う。映像信号を記録した測定用テープ１に磁性粒子のコロイド液を付けて磁化状態を顕微鏡にて観察する。このようにして記録された記録パターンは、図２及び図３の記録パターン５００及び７００のようになる。この記録パターン５００及び７００は、ＲＣＨヘッドとＬＣＨヘッドのアジマス角の関係で、方向は逆であるが、絶対角度は同じになる。
【００３７】
次に、記録した信号を上記同様の方法にて再生を行う。そして図２に示すＲＣＨヘッド記録における再生エンベロープと、図３に示すＬＣＨヘッド記録における再生エンベロープとを確認し、両方がほぼ同じになるように磁気ヘッドの調整を行う（各エンベロープについては図示しない）。
【００３８】
次に、上記のように単品状態で測定を行った磁気ヘッドを、磁気記録再生装置などの本体に搭載した状態で、再生エンベロープの測定を行う。なお、本体搭載測定状態における測定方法については、前述の従来技術で説明した方法と同様に行うため、説明は省略する。
【００３９】
このようにして、磁気ヘッドの単品状態での測定と本体搭載状態での測定を行い、その結果を図１に示す。図１において、◆はＲＣＨヘッドによる特性、□はＬＣＨヘッドによる特性で、各々の記号を上下一組でヘッド１組としている。図示Ｘ軸はヘッド単品状態での記録再生効率（％）、Ｙ軸は本体搭載状態でのＳ／Ｎの相対値（ｄＢ）を示す。またハッチング部は、ヘッド単品状態での記録再生効率と本体搭載状態でのＳ／Ｎ相対値との規格下限値を、両方とも満足する領域である。図１に示すように、一組のＲＣＨヘッド及びＬＣＨヘッドの値の差が、それぞれで小さくなっていることがわかる。これにより、ＲＣＨヘッドとＬＣＨヘッドの再生エンベロープのチャンネル間差が小さくなることがわかる。
【００４０】
以上のように本実施の形態によれば、単品特性を測定する場合に磁気ヘッドが測定用テープを走査する方向３と前記測定用テープ１の磁性粒子の磁化配向方向２とで成す角度４が、図１６で示す磁気ヘッドを搭載する本体で磁気ヘッドがテープを走査する方向３６とテープの磁性粒子の磁化配向方向５８とで成す角度６３と同じになり、図１に示すように、図１８で示す従来の測定方法での発生していた単品特性と磁気ヘッドを搭載する本体で映像信号を記録して測定するＳ／Ｎとの相関のチャンネル間差６８がほとんどなくなり、従来の測定方法に比較し高い相関が得られる。
【００４１】
なお、今回の測定においてはテープの磁性粒子の磁化配向方向が、磁気ヘッドを搭載する本体で磁気ヘッドが記録するテープを走査する方向と前記記載の単品特性を測定する装置で磁気ヘッドが測定用テープを走査する角度と測定用テープの磁性粒子の磁化配向方向とで成す角度が同じになるように構成させる方法として、通常、使用されている磁性粒子の磁化配向方向がテープの幅方向の端面に平行に構成されたテープを図４に示すように、磁気ヘッドを搭載する本体で磁気ヘッドが記録するテープを走査する方向とテープの端面とでなす角度と同じ角度１０で切断したテープを使用したが、テープの磁化配向方向をコントロールする製造工程段階において、配向方向を強制的に本体で磁気ヘッドが記録するテープを走査する角度と同じ方向に配向したテープを使用してもよい。
【００４２】
（実施の形態２）
次に、本発明の実施の形態２について説明する。
【００４３】
図５は本発明の実施の形態の前記記載の単品特性を測定する測定装置を示す側面図、図６は同装置におけるテープ１３に対する磁気ヘッド１６の走査状態を示す模式図である。図７は本実施の形態の測定装置による測定結果を示す特性図で、図中◆はＲＣＨヘッドによる特性、□はＬＣＨヘッドによる特性、Ｘ軸はヘッド単品状態での記録再生効率（％）、Ｙ軸は本体搭載時のＳ／Ｎの相対値を示している。
【００４４】
図５において、１２は測定に使用するドラムで、回転ドラム１７が中心軸２３ａを中心に所定回転数で回転する。ドラム１２は、測定に使用するテープ１３の上下方向への移動を規制するガイドを有する上下の固定ドラム１４及び１５と、測定する磁気ヘッド１６を搭載しテープ１３を走査する回転ドラム１７とで構成されている。このドラム１２は、支持台１８のドラム取付け面１９に垂直に取り付けられている。そして、その支持台１８には台の角度を任意に可変できる機構２０，２１が設けられており、この支持台１８に取り付けられたドラム１２の角度２２が可変出来るようになっている。本実施の形態では、前記記載の支持台１８には、台の角度を任意に可変できる調整手段である機構２０，２１を使用して測定する磁気ヘッドの基準面２６と測定に使用するテープ１３の幅方向の端面２７とで成す角度２８が、磁気ヘッドを搭載する本体で磁気ヘッドが記録する磁気テープを走査する方向と同じ角度になるように設定した。なお、本実施の形態では、機構２０及び２１は、支持台１８の下面側に３個設けたが、この数量に限定されるものではない。
【００４５】
２４及び２５は磁気テープ１３の長手方向両端を固定したポストで、シャーシ（図示せず）などに垂直に固定されている。２３ｂは垂直線で、ポスト２４及び２５と平行な線である。１３は両端がポスト２４及び２５に固定された磁気テープで、磁化配向方向は磁気テープ１３の長手方向と平行に配されている。
【００４６】
以上のように構成された本実施の形態の磁気ヘッドの記録再生効率測定装置について、以下その動作について説明する。
【００４７】
まず、ドラム取り付け面１９にドラム１２が配された支持台１８の傾き角度を、機構２０及び２１を調整して任意の角度に設定する。具体的には、機構２０及び２１の一部を円周方向に回転させることで、その縦方向の長さが伸縮する構造となっており、例えば図５のように機構２１側が高くなるように調整するには、機構２１を回転させて縦方向に伸ばすことで、支持台１８に傾きをつけることができる。
【００４８】
この時、調整する角度は、図６において磁気ヘッド１６の基準面２６と磁気テープ１３の幅方向の端面２７とで成す角度２８が、磁気ヘッドを本体に搭載した状態で磁気テープの下端面に対する磁気ヘッドの走査角度と同じになるようにする。つまり、図示の単品状態での測定条件と、本体搭載時の測定条件とを同じにするわけである。
【００４９】
次に、磁気テープ１３の一端をポスト２４に固定し、次に磁気テープ１３の他端をポスト２５に固定し、上記角度調整されたドラム１２に所定角度巻回す。この時、ポスト２４及び２５はシャーシ（図示せず）に垂直に配されているため、磁気テープ１３はシャーシに対して平行となる。
【００５０】
次に、回転ドラム１７を所定回転数で回転させ、磁気テープ１３に対して信号（例えば映像信号）の記録を行う。次に磁気ヘッド１６で信号の再生を行い、再生エンベロープを測定する。
【００５１】
このようにして測定することにより、図７に示すように、図１８で示す従来の測定方法で発生していた単品特性と磁気ヘッドを搭載する本体で映像信号を記録して測定するＳ／Ｎとの相関のチャンネル間差６８がほとんどなくなり、従来の測定方法に比較し高い相関が得られる。
【００５２】
【発明の効果】
以上のように本発明によれば、本体に搭載する前に単品特性と本体に搭載した状態で、映像信号を記録再生したＳ／Ｎとの関係でチャンネル間差が無くなり非常に高い相関が得られる。そして、高い相関が得られた状態で、単品特性の規格が決定されてＲＣＨとＬＣＨの特性差が一定の範囲内にある磁気ヘッド同士を一対にして本体に搭載される事により、本体でのエンベロープ差がなくなり、画面のちらつきが生じなくなる。
【図面の簡単な説明】
【図１】本実施の形態１における単品特性と磁気ヘッドを搭載する本体で映像信号を記録して測定するＳ／Ｎとの相関を示した特性図
【図２】本実施の形態１の測定方式で、ＲＣＨヘッドを単品評価装置で単一波信号を記録した測定用テ−プに、磁性粒子のコロイド液を付けて磁化状態を顕微鏡にて観察した磁化パターンを示す模式図
【図３】本実施の形態１の測定方式で、ＬＣＨヘッドを単品評価装置で単一波信号を記録した測定用テ−プに磁性粒子のコロイド液を付けて磁化状態を顕微鏡にて観察した磁化パターンを示す模式図
【図４】本実施の形態における測定用テープ仕様を示す模式図
【図５】本実施の形態２における単品評価装置を示す斜視図
【図６】本実施の形態における単品評価装置で被測定磁気ヘッドが測定用テープを走査する方向と測定用テープの幅方向の端面とで成す角度をと示す模式図
【図７】本実施の形態における単品特性と磁気ヘッドを搭載する本体で映像信号を記録して測定するＳ／Ｎとの相関を示した特性図
【図８】ヘリカルスキャン方式の磁気記録再生装置のシリンダーとテープとの接触状態を示す模式図で回転ドラムの平面図
【図９】ヘリカルスキャン方式の磁気記録再生装置のシリンダーとテープとの接触状態を示す模式図でシリンダーの側面図
【図１０】磁気ヘッドの概略を示す斜視図
【図１１】ギャップのアジムス角がプラス方向の磁気ヘッドのテープと摺動する面を示す拡大図
【図１２】ギャップのアジムス角がマイナス方向の磁気ヘッドのテープと摺動する面を示す拡大図
【図１３】磁気ヘッドを本体に搭載する前の状態で記録再生効率を測定している模式図
【図１４】従来の測定方式で、ＲＣＨヘッドを本体に搭載する前の状態で記録再生効率を測定する記録再生装置で単一波信号を記録した測定用磁気テ−プに、磁性粒子のコロイド液を付けて磁化状態を顕微鏡にて観察した磁化パターンを示す模式図
【図１５】従来の測定方式で、ＬＣＨヘッドを本体に搭載する前の状態で記録再生効率を測定する記録再生装置で単一波信号を記録した測定用磁気テ−プに、磁性粒子のコロイド液を付けて磁化状態を顕微鏡にて観察した磁化パターンを示す模式図
【図１６】本体に搭載する前の状態で、記録再生効率がほぼ同じであったＲＣＨヘッドとＬＣＨヘッドを本体のシリンダーに搭載して映像信号を記録したテープに、磁性粒子のコロイド液を付けて磁化状態を顕微鏡にて観察した磁化パターンを示す模式図
【図１７】従来の本体で映像信号を記録再生したエンベロープを示す模式図
【図１８】従来における本体に搭載する前の状態での記録再生効率特性と、磁気ヘッドを搭載する本体で映像信号を記録して測定するＳ／Ｎとの相関を示した特性図
【符号の説明】
１，５０　測定用テープ
３　磁化配向方向
１２　ドラム
１３　テープ
１６　磁気ヘッド
１９　基台
２０，２１　機構
２６　基準面
２７　端面
２８　角度
【図１】
2004110879.tif 000003
【図２】
2004110879.tif 000004
【図３】
2004110879.tif 000005
【図４】
2004110879.tif 000006
【図５】
2004110879.tif 000007
【図６】
2004110879.tif 000008
【図７】
2004110879.tif 000009
【図８】
2004110879.tif 000010
【図９】
2004110879.tif 000011
【図１０】
2004110879.tif 000012
【図１１】
2004110879.tif 000013
【図１２】
2004110879.tif 000014
【図１３】
2004110879.tif 000015
【図１４】
2004110879.tif 000016
【図１５】
2004110879.tif 000017
【図１６】
2004110879.tif 000018
【図１７】
2004110879.tif 000019
【図１８】
2004110879.tif 000020